(57)【特許請求の範囲】
【請求項１】
開閉式の蓋を備え内部に防災用具を収納可能な容器になっている下部ケースと、同下部ケースに設けられた一対の縦軸状の支持筒に非止着状態で抜き差し自在とされた左右平行状で一対のバールとして機能し得るポールと、各ポールの上端に抜き差し自在とされた垂直向きのパイプ状の一辺と同一辺に直交する水平向きのパイプ状の他辺とを備えたＴ字ジョイントと、同Ｔ字ジョイントの他辺内を介して水平向きに挿通されて衣服などを吊り掛け得るようにしたバールとして機能し得る水平向きの掛けバーとを備える防災用品であって、前記左右各ポールは、基部が前記支持筒に差し込まれる基部パイプと、同基部パイプに対して伸縮自在とされるとともに止着具により適宜伸縮位置で固定されるようになっている作業用バーとからなり、前記掛けバーは、両端が前記Ｔ字ジョイントに差し込まれるようになっている第１バーと、同第１バーの各端に対して伸縮自在となっている第２バーとからなっている防災用のバールでなっている防災用品。
【請求項２】
バールである防災用品であって、立設される２本の端支柱とこれら端支柱の下部間に連結された下横桟とこの下横桟の上に立設された複数本の間柱と上記端支柱と間柱の上端に渡るように連結された上横桟である手摺とを備えてなる手摺枠の前記手摺それ自体がバールとしての機能を有しそれ自体に備えた突起が前記端支柱および間柱の各上端に差し込み式で脱着自在であるとともにその一部は止着具により抜けないように止め付けてある防災用品。
【発明の詳細な説明】
【０００１】
【発明の属する技術分野】
この発明は、地震や水害などの災害時に有利な防災用品に関する。
【０００２】
【従来の技術】
地震や水害などが発生した際には防災用具が必要になるが、これらの防災用具は即座に準備されることが必要である。
【０００３】
【発明が解決しようとする課題】
しかし、これまでは収納倉庫に入れてあったりしてすぐには間に合わないもので、その対策が望まれていた。
この発明は前記課題を解決するためになされたもので、災害に即座に対処できいるようにした防災用品を提供することを目的とする。
【０００４】
【課題を解決するための手段】
請求項１記載の発明は、開閉式の蓋を備え内部に防災用具を収納可能な容器になっている下部ケースと、同下部ケースに設けられた一対の縦軸状の支持筒に非止着状態で抜き差し自在とされた左右平行状で一対のバールとして機能し得るポールと、各ポールの上端に抜き差し自在とされた垂直向きのパイプ状の一辺と同一辺に直交する水平向きのパイプ状の他辺とを備えたＴ字ジョイントと、同Ｔ字ジョイントの他辺内を介して水平向きに挿通されて衣服などを吊り掛け得るようにしたバールとして機能し得る水平向きの掛けバーとを備える防災用品であって、前記左右各ポールは、基部が前記支持筒に差し込まれる基部パイプと、同基部パイプに対して伸縮自在とされるとともに止着具により適宜伸縮位置で固定されるようになっている作業用バーとからなり、前記掛けバーは、両端が前記Ｔ字ジョイントに差し込まれるようになっている第１バーと、同第１バーの各端に対して伸縮自在となっている第２バーとからなっている防災用のバールでなっている。
【０００５】
請求項２記載の発明は、バールである防災用品であって、立設される２本の端支柱とこれら端支柱の下部間に連結された下横桟とこの下横桟の上に立設された複数本の間柱と上記端支柱と間柱の上端に渡るように連結された上横桟である手摺とを備えてなる手摺枠の前記手摺それ自体がバールとしての機能を有しそれ自体に備えた突起が前記端支柱および間柱の各上端に差し込み式で脱着自在であるとともにその一部は止着具により抜けないように止め付けてある。
【０００６】
【発明の実施の形態】
以下、図示した実施形態を参照してこの発明を詳細に説明する。
【０００７】
図１はその好適な一実施形態を示す。
【０００８】
１は下部ケースで、底板・四周壁を備えた上部開口状の容器である。
【０００９】
下部ケース１の底面には、ゴムクッションなどの緩衝材２…が装着されている。
【００１０】
同緩衝材２に代えて簡易車輪を装着してもよい。
【００１１】
同下部ケース１の２箇所には支持筒３が突設され、同筒３を介して左右平行状をなすポール４，４が立設されている。
【００１２】
ポール４は、支持筒３に何時でも抜き差しできるようにされるとともに、同ポール４は、防災用具であるバールでなっている。
【００１３】
すなわち、ポール４は、基部パイプ５に止着具６を介して作業用バー（あるいはパイプ）７を挿通したもので、作業用バー７の先端は先鋭状になっている。
【００１４】
両ポール４，４は、同じ高さに適宜伸ばされて、その上端には、同じくバールで作られた掛けバー９が止着具８付のＴ字ジョイント１０を介して横架されている。Ｔ字ジョイント１０は、各ポール４の上端に抜き差し自在とされた垂直向きのパイプ状の一辺と同一辺に直交する水平向きのパイプ状の他辺とを備えている。掛けバー９は、両ジョイント１０，１０に挿通支持された第１バー１１と、同第１バー１１から左右に伸びた第２バー１２からなり、第２バー１２は先鋭状であるので、先にゴムやプラスチックなどによるキャップ１３を被冠して、すぐにでも脱着できるようにしてある。
【００１５】
そして、掛けバー９には、図示した防災用具であるヘルメット１４の他、第１バー１１には、個別のハンガーを介して衣服類を吊り掛けることができる。
一方、こうしたハンガーの下部ケース１には、前後あるいは一方のみに開閉可能なようにヒンジ１５を介して蓋１６が設けられて、防災用品の容器を構成している。尚、同実施形態では、バールを備えたものと、バールに下部の容器を備えたものと、容器を備えたものの各態様に構成できる。
【００１６】
同ハンガーは、容器内に防災用具を入れておくものであり、従って、収納時にはその重量が大きくなってハンガーの安定性向上に寄与する一方、災害時には、ポール４および掛けバー９を取り外して対処することができる。尚、容器内には、ジャッキやかませ材などが収納できる。
【００１７】
図２に示す実施形態は、ポール１８の上部に消火器設置標示部１９を備える消火器設置標示２０の前記ポール１８がバールでなっているものである。ポール１８は、例えば、四角筒でなる第１軸２１とそれに挿通されて伸縮可能になっている第２軸２２とからなり、止着具２３で伸縮可能である。第２軸２２が作業時先側になるもので、この場合、消火器設置標示部１９である板を前記止着具２３で共締めしてある。また、ポール１８の側面には、非常灯２４やヘルメット２５などを吊り掛けするための吊り具２６が設けられている。
【００１８】
尚、ポール１８の下部には、板でなく、防災用具容器２７になっており、その蓋２８が開閉可能になっている。同容器２７の底部には緩衝材２９が設けられ、固定も可能になっている。
【００１９】
図４に示す実施形態は、消火器３１についてのもので、同消火器３１には、その外周にバンド３２が付され、同バンド３２には非常灯３３が何時でも使えるようにして装着されている。同非常灯３３は周方向に回すことができる。同バンド３２は、バックル式でもよい。
【００２０】
図５に示す実施形態は、同じく消火器３１についてのもので、同消火器３１には、バンド３２が付され、同バンド３２には、電池入り容器３５やマスク入り容器３６、さらにヘルメット３７等が自在に吊り掛け得るようになっている。吊り掛けるものは前記に限定されない。
【００２１】
図６に示す実施形態は、同じく消火器３１についてのもので、消火器３１を設置するための架台３９であって、同架台３９には、防災用具容器４０が一体あるいは別体で設けられるようになっている。
【００２２】
図７に示す実施形態は、家具の１つである下駄箱４２の横隣に防災用具容器４３を設置するようにしてある。同下駄箱４２には脚４４があり、同脚４４と容器４３の脚４５とを連結材４６で脱着自在にしてある。尚、脚４５は緩衝材であり、また、容器４３上にも緩衝材４７が設けられて倒壊に際しても容器４３が護られて内部の防災用具を取り出しやすくしてある。尚、仮想線で示すように、容器４３は下駄箱４２の底部スペース内に収容してもよい。この場合、仮想線４８のように支えを介装してもよい。
【００２３】
図８に示す実施形態は、古い形式の下駄箱５０であり、同下駄箱５０の内部には、傘入れ空間５１の隣に仕切り５２を介して防災用具入れ５３になっている。同防災用具入れ５３内にはバール５４その他が入れられるとともに、倒壊時にも用具を取り出せるように上下あるいは下部にのみ緩衝材５５が設けられている。
【００２４】
図９も家具の１つであるタンス５７についての実施形態で、その隣側に防災用具容器５８がセットされるようになっている。同容器５８の外周には、ゴムやプラスチックによる緩衝材５９が取り囲むようにして設けられている。６０は容器の蓋を牽き出すための細ロープである。倒壊時に有効である。
【００２５】
図１０に示す実施形態は、タンス５７の内部に防災用具容器６２を受皿状に内蔵したもので、倒壊時にも有利である。尚、表側は扉６３になっており、倒壊時にも開き得るようになっている。
【００２６】
図１１に示す実施形態は、ベッド６６の防災方式についてのもので、上からみてＴ字形になるように三本柱式にガードパイプ６７を立設してある。同パイプ６７は、ベッド６６の外周周りから立設してもよい。また、同パイプ６７は上からみてＹ形になるように立設してもよい。さらに、仮想線のように、パイプ６７を基部として水平に回転する補助パイプ６８を装着して矢印のように空きスペースをさらにガードするようにしてもよい。尚、図示しないが、ガードパイプ６７の空きスペースを覆うような防災カバーを備えてもよい。
【００２７】
図１２に示す実施形態は、畳７０やゴザを架台７１上に載せたもので、架台７１には、防災用具容器７２を備えて取り出し可能になっている。尚、架台７１内には、健康増進のために炭やヨモギなどを入れてもよい。
【００２８】
図１３に示す実施形態は、敷布団７３や簡易ベッドなどを対象にして、同布団７３の上を横切るようにしてガードパイプ７４を設けたもので、同パイプ７４は、門形であるとともに、下部は、パイプ７４の両端に固定された補強板７５付の脇座７６の一対と、同脇座７６間をつなぐ本座７７を備える。
【００２９】
図１４に示す実施形態は、家屋の一室内に倒壊防止のために構成されたもので、底座８０付の下部パイプ８１と、これに上下調整可能に挿通されたネジ軸状のアジャスタ軸８２とでなり、アジャスタ軸８２には天座８３が設けられて、前記底座８０および天座８３は家屋の構成部材に連結されるようになっている。８４はベッド、８５は補強脚である。外周に化粧柱カバー８６を備え付けてもよい。
【００３０】
図１５、図１６並びに図１９に示す実施形態は、ベッド９０上にある人を地震から効果的に防護するためのものである。ベッド９０は、畳や敷布団など他の寝具でもよく、ゴザ敷や板間でもよい。また、寝具でなくても、例えば、机（こたつ机でもよい）や椅子（ソファーを含む）、食卓、事務机などであってもよい。一方、何も設置しない単なる空間でもよい。空間のみである場合は純避難空間となる。これらのことは以下の関連する全ての実施形態においても同様に言える。
【００３１】
図１５に示す９１は防護のためのガードフレームで、同フレーム９１は、共通型に形成した４本の天柱パイプ（パイプ状でない中実状のものも含まれる）９２を備える。天柱パイプ９２の天柱とは、天部と柱部とを１本化（複数本でつないで１本化してもよい）しているところからここでこのように呼称する。
【００３２】
この天柱パイプ９２は、Ｊの字を横向きにしたような形状に曲げ形成され、下端の水平な受座部９３と、垂直（傾斜していてもよい）な支柱部９４と、支柱部９４から少し上向きに傾斜して上がるように一体化された天部９５とからなる。これらの天柱パイプ９２は、上からみてＸ字形になるように連結される。
天部９５は、図１６に示すように１０度前後の角度になっているが、例えば、４５度前後のように更に急傾斜にしたり、または緩傾斜状にすることができる。
【００３３】
尚、図１５の天柱パイプ９２内に破線で示すように、直管時（成形前）に天柱パイプ９２内に補助パイプ（あるいは軸）９６を差し込んでおき、同時に曲げ成形すれば一定径の天柱パイプ９２でも強度のあるパイプになる。同補助パイプ９６は、天柱パイプ９２の全長でもよいし、同図のように曲がる部分のみでもよい。また、直管部分のみでもよい。さらに、図１５に仮想線で示すように、天柱パイプ９２の曲がり部分には補強部材９７を付してもよい。また、天柱パイプ９２の曲がり具合は、図１６に示す程度に小さくしてあるが、充分大きく（例えば、図２４を参照）してもよいし、天部９５は水平でも逆に凹むように中央に向けて下がり傾斜状にしてもよい。前記受座部９３は図１５に示すものとは逆向き（１８０反対向き）に曲げることがある。天柱パイプ９２は３本のこともあり、一方５本以上であることもある。天柱パイプ９２は、下部を太いパイプとし、上部を細いパイプにしてもよい。このことは後述する実施形態においても採用することができる。この場合、太いパイプと細いパイプとの接合部分にシリコンゴム等の緩衝部材を介装すれば緩衝作用が効果的なものになる。また、天柱パイプ９２の曲がり部分のみを太いパイプにしその上下に接続されるパイプを細いパイプにすることもできる。このことも以下の実施形態において採用できる。
【００３４】
９９は上部座板、１００は下部座板、１０１は緩衝部材である。これらは積層状にされて止着具１０２で連結されるとともに天柱パイプ９２の下端である受座部９３が固定される。上・下座板９９，１００は一体化してもよい。緩衝部材１０１はゴム、プラスチック等の弾性部材が使用されるが、特に、緩衝効果の高いシリコンゴムの使用が好適である。同緩衝部材１０１は受座部９３の外周に嵌まる丸筒状のものにしてもよいし、同丸筒のものと図１５に示す板状のものとを組み合わせることもできる。止着具１０２は、建屋の床あるいは床下構成部材と連結可能にすることができる。
【００３５】
１０４は連結盤で、金属板であり、同連結盤１０４の外周位置には四角筒でなる受筒１０５が溶接等により固定され、同受筒１０５にそれぞれ緩衝部材（シリコンゴム等）１０６を介して前記天柱パイプ９２の中央側先端を差し込み連結してある。この連結には、止着具を介することもある。
【００３６】
１０８は底連結部材で、帯板状のものを平面Ｘ字状に配し、これらの中央を底連結盤１０９で連結する一方、他端を下部座板１００にそれぞれ連結（あるいは一体化）してある。底連結部材１０８は、天柱パイプ９２から一体に曲がる部分で構成できる（図２７参照）。
【００３７】
１１１は連結材で、上からみて矩形をした丸パイプでなり、勿論、パイプでなくてもよい。同連結材１１１は、天柱パイプ９２の上の曲がり部の上面に載り掛かるようにして４つのコーナーに緩衝部材（シリコンゴム等）１１２を介してセットされるとともに、各コーナーは止め具１１３で連結されている。
【００３８】
同止め具１１３は、図１５及び図１６に示すように、天柱パイプ９２の上の曲がり部に下から掛かるようにＵ字形になった部分ａと、連結材１１１に上周りから掛かるようにＵ字形にした左右１対の部分ｂ，ｂと、天柱パイプ９２の両側を通る部分ｃ，ｃと、ボスｄとからなり、ボスｄ，ｄにボルト等の止着具１１４を天柱パイプ９２の曲がり部下方に沿って通すことで天柱パイプ９２に連結材１１１が脱着自在に連結固定されるようになっている。緩衝部材１１２は丸筒状でもよい。また、同緩衝部材１１２は、連結材１１１側に付してもよいし、連結材１１１側と天柱パイプ９２側に付してもよい。連結材１１１、天柱パイプ９２の両者並びにこれらの間に緩衝部材１１２を配してもよい。
【００３９】
尚、図１５に破線で示すように、ベッド９０の架台１１６は側方等に出し入れ自在に引き出し式にして、その中に仕切板１１７等によりヨモギや炭を収納して健康増進を図るようにしてもよい。また、同架台１１６内には各種防災用品を入れておいてもよい。
【００４０】
また、図１５に示す実施形態では、上部座板９９上を介してベッド９０が載り掛かるようになっているが、ベッド９０の架台のコーナー部分を切欠状にしてガードフレーム９１の脚部をそこに差し入れるようにしてもよい。連結材１１１は、ワイヤーロープ、リンクチェーン、あるいはチェーンなどに代えることもあり、併設することもある。このことは、以下の実施形態でも同様に言える。
【００４１】
以上はガードフレーム９１の骨格構造について説明したが、図１９にはその外装を施した例が図示されている。すなわち、天柱パイプ９２には、ゴム等の弾性チューブ１１９が被嵌されるとともに、天柱パイプ９２の脚台周りには外装ボックス１２０が被されている。また、連結材１１１には、プラスチックなどによるパイプ１２１が被嵌されるとともにコーナーにもプラスチックなどによるコーナー部材１２２が装着されている。さらに、天板１２３により天井部分の外装がなされるとともに図示しないが裏側にも布生地などによる裏当てがなされている。また、適宜にカーテン１２４が配される。以上の外装は後述する実施形態においても適用できる。
【００４２】
尚、図１７に示すように、Ｕ字リンク体でなる止め具１２６と、ボルト等の止着具１２７により天柱パイプ９２と連結材１１１の連結をすることもできる。この場合、止め具１２６は連結材１１１の上への抜けを防止するようになっているが、仮想線のように２つのＵ字リンク体をＶ字状に一体化したような止め具１２８により連結材１１１の上下への抜け止めをするようにしてもよい。
【００４３】
また、図１８に示すように、止め具１３０がワイヤーロープ、リンクチェーン、あるいはチェーンであることもある。連結材１１１もこれらワイヤーロープ等であってもよい。
【００４４】
図２０は、ガードフレームの天部中央のパイプ連結方式の他の実施形態を示すもので、前記連結盤１０４はなく、板を縦向きにして上からみて十字状に結合することで連結体１３２を形成し、同連結体１３２の４つの入りコーナーに斜め軸状に受筒１３３を溶接等により結合してある。受筒１３３には、シリコンゴム等による緩衝部材１３４が挿入され、これに天柱パイプ９２を挿通支持してある。受筒１３３内には、球状のシリコンゴムなどによる別の緩衝部材１３４も補助緩衝部材として入れられている。尚、連結体１３２はなしにして、受筒１３３を相互に溶接する等して連結方式を構成してもよい。
【００４５】
図２１は、シリコンゴム、合成ゴム等により一体成形された連結体１３６についての実施形態を示し、同連結体１３６はＸ字状で天柱パイプ９２を差し込む孔１３６ａを開口してある。尚、天柱パイプ９２の先端内には、緩衝効果を上げるために盲蓋１３７を装着してある。同盲蓋１３７は、先端が丸くなっていて、緩衝作用が確実になされるようになっている。
【００４６】
尚、仮想線で示すように、円板状の連結板１３８の１対を連結体１３６の上下にサンドイッチ状に配し、ボルト等の止着具１３９でこれら連結板１３８を挟着することで、連結体１３６と連結板１３８を一体化するようにしてもよい。この一体化により緩衝作用がより確実かつ有効に発揮される。この場合、止着具１３９の外周にも緩衝部材１４０を装着しておくと、より一層の緩衝作用が発揮される。連結体１３６の４つの突出筒の外周に金属の筒体を付することもできる。
【００４７】
図２２は、上からみてＬ字形をした連結ブラケット１４２の入り隅側に連結筒１４３を溶接等により装着し、これらの４個を図示のように互いに少し離間させて全体が十字になるように配すとともに、前記離間した部分にシリコンゴム等の弾性部材による緩衝部材１４４…を介装して止着具１４５にて止め付けたものを連結体とした実施形態である。緩衝部材１４４は、十字形をした１つのものにしてもよい。また、図２２の連結体の中央には空間が存するが、この部分にも緩衝部材を介装してもよく、一方、同空間のみに緩衝部材を入れるようにしてもよい。
【００４８】
図２３は、天柱パイプＸを、一側が太いパイプＡで、他側が細いパイプａにして互いに挿通接合してその間をシリコンゴム等による緩衝部材１４８を介装したものである。止着具を用いることもできる。尚、パイプａの外周にフランジ１４９を固定しておき、緩衝部材１４８に軸方向から当たって緩衝作用をするようにしてもよい。また、同時に図示した他の天柱パイプＹは、パイプｂ，ｂ間を太いパイプＢでつなぎ、その間を緩衝部材１５１により接続したもので、緩衝部材１５１は、パイプｂの外周のみでなく、パイプｂ，ｂ間にもあるように配されている。上記接続方式はガードフレームの他の部分にも適用できる。尚、天柱パイプＸとＹを図示のように組み合わせる場合と、ＸあるいはＹの一方によるもので同一接続方式のもの２本を段差をもって交差状に配する場合とがある。さらに、これらの交差間には仮想線のように緩衝部材１５０を介装してもよい。
【００４９】
図２４に示す実施形態は、複数の実施形態が組み合わされている。これら複数の実施形態は個別にも構成することができる。個別に説明する。
（１）ガードフレーム１５３は４本の天柱パイプ１５４と連結材１５５とよりなるが、全体がドーム形になっている。天柱パイプ１５４の曲がり半径が図１５に示すものよりかなり大きくされている。衝撃に強い構造になっている。
（２）連結材１５５の一部は仮想線のようにくの字状等の張出部１５６にして防護効果が上がるようにしてもよい。
（３）ガードフレーム１５３は、図１５では受座部９３が短いパイプ部分になっていたが、この実施形態では、上からみてＸ字状に交差するような長い受座部１５７になっている。これらの交差は、図２３のような接続方式にすることができる。
（４）天柱パイプ１５４の下端は、内向きでなく、仮想線のように外向きに曲げた受座部１５８にすることもできる。
（５）天柱パイプ１５４の下端は、ベッド１５９の架台に沿う方向に曲がる受座部１６０にすることもでき、この場合、延びる相互の受座部１６０を接続体１６１でつなぐこともできる。または、天柱パイプ１５４の一方を太く他方を細くして互いに差し込み式に接続することもできる。これら接続間にも緩衝部材を介装することができる。
（６）天柱パイプ１５４の相互間には仮想線のようにやや低い高さの連結材１６３を横架して、これを利用して種々の運動をすることもできる。
（７）連結材１５５の対向する部分に平行にかつガードフレーム１５３外部にまで延びるように側面Ｌ形をした移送フレーム１６５を左右一対配し、同フレーム１６５に、昇降機能付の吊り掛け移動手段１６６を装備し、この間に患者用担架１６７を配して、患者等を担架１６７に載せてフレーム１６５に沿ってベッド１５９上を移送しさらにガードフレーム１５３外のバス１６８まで往復移送可能に構成することもできる。
（８）連結材１５５は、ワイヤーロープ、リンクチェーン、あるいはチェーンなどによる連結材１６９でつなぐこともできる。この場合、同連結材１６９と天柱パイプ１５４との連結部に緩衝部材を装着することができ、さらに、連結材１６９自体を分割してその間を緩衝部材付の接続手段で接続することもできる。
（９）天柱パイプ１５４や連結材の内部には、シリコンゴム等の緩衝部材を全体にあるいは適宜曲がり部分に入れておくことができる。この場合、金属の球の外周にシリコンゴム等の緩衝部材を覆ったピースを使用することも自由であるし、緩衝部材として廃棄タイヤのチップなどを使用することもできる。ゴルフボールを充填することもある。
（１０）天柱パイプ１５４の天井頂点部は、図２４および図２５（図２４の縦断面図）に示すように、上下の連結板１７０，１７０間に筒状の緩衝部材１７１…を４か所放射状に配して止着具１７２…でサンドイッチ式に合体したもので、緩衝部材１７１内に各天柱パイプ１５４の上端を挿入してある。天柱パイプ１５４の先端には盲板１７３を固定しておき、緩衝部材１７１の一端の盲部１７１ａにより緩衝作用を発生するようにしてある。
以上の各構成は、個別にも適宜に組み合わせても実施できる。
【００５０】
図２６に示す実施形態は、ベッド１７５上の防護のためガードフレーム１７６を立設したもので、その脚座部１７７を上からみてＬ字形のパイプの結合により構成したものである。これとは別に、天柱パイプ１７８相互を連結する連結材１７９として、仮想線のように、平面楕円形あるいは長円形、さらには丸環形にしてもよい例を併せて示す。ガードフレーム１７６には、適宜に緩衝部材を配す。天部中央の連結板１８０と天柱パイプ１７８とは、緩衝部材を介してヒンジで連結してもよい。
【００５１】
図２７は、略コの字形に曲げ形成した天柱パイプ１８２…をもつもので、緩衝部材１８３を内蔵した受筒１８４…付の連結板１８５を上下に対向して配し、矢印のようにして天柱パイプ１８２…を各受筒１８４…に差し込んで平面Ｘ字形に合体させるものである。尚、脚座１８６間にも緩衝部材１８７を介装してある。床側に固定できるようにしてもよいことは他の実施形態と同様である。
【００５２】
図２８は、上からみてＶ形をなし側方からみて逆Ｌ字形をなす天柱パイプ１８９の１対を平面Ｘ字状をなすように合体させたものである。同天柱パイプ１８９は、仮想線のように、側面コの字形になるように座部１８９ａを一体あるいは別体形成してもよい。尚、脚座１９０は、他の実施形態のようにしてもよいが、図示のように、緩衝部材を内蔵する筒体の下に底座を組み合わせたものにしてもよい。また、上部の連結方式も他の実施形態のようにしてもよいが、図示のように、縦板１９２とその中間高さから水平に突出する２枚の横板１９３からなる略Ｔ字形の連結体１９４を対向させてその間に緩衝部材１９５を挟んで止着具１９６で連結するとともに、前記上下の横板１９３間に他の緩衝部材１９５を挟んで止着具１９６で天柱パイプ１８９と共締め固定するようにしてもよい。他の連結方式を採用してもよい。
【００５３】
脚座１９０の構成は、図２９に示してある。受筒１９８と底座１９９を溶接等により一体にし、これにそれぞれ緩衝部材２００を介装して天柱パイプ１８９を挿入連結してある。孔２０１により床側にも固定できる構造になっている。この構造は、ガードフレームに関連する他の全ての実施形態に適用できる。
【００５４】
図３０は、上部がやや短くなった天柱パイプ２０３の４本を天部中央でなく矩形をした連結材２０４のコーナーに連結したもので、同天柱パイプ２０３は、上端にコの字形をしたコーナー止め具２０５を備えており、この止め具２０５と止着具２０６を介して連結材２０４に結合されている。連結材２０４の内部スペースには、丸形その他の形状をした補強連結材２０７を一体化してもよい。尚、コーナー止め具２０５内には、図３１に示すように、緩衝部材２０８を介装し、また、止着具２０６外周にも緩衝部材２０８を装着してある。また、仮想線のように、天柱パイプ２０３は側面がコの字形になるように座パイプ２０３ａを備えたものにしてもよい。座パイプ２０３ａ間は底連結材２０９により結合してもよい。さらに、仮想線のように、天柱パイプ２０３には棚２１０を付してもよい。
また、ガードフレーム上には、仮想線のように、天板２１１を付したり、天裏生地２１２を付したりする。
【００５５】
図３２は、緩衝機能を有するガードフレーム２１５が集会所用のテントフレームとして使用されたりするもので、この構造のものをベッド防護用としても使用できるものである。ガードフレーム２１５は、４本の天柱パイプ２１６…を連結材２１７で結合するとともに、天部をＴ字形連結板２１８に筒体２１９を固着したもので結合してある。筒体２１９内には、図３３のように、丸筒状の緩衝部材２２０を介装して天柱パイプ２１６を両側から差し込んで止め付けてある。脚座２２１にも緩衝部材２２２を介装してある。
【００５６】
図３４は、脚座をボールジョイント式に構成したものである。２２４は台座で、その内部には半球状の凹み２２５が形成されて半球殻状の緩衝部材２２６が嵌め込まれており、その上に天柱パイプ２２７下端のボール２２８が摺動自在に嵌め込まれている。２２９は押さえ板である。この実施形態の場合も他の関連する実施形態に全て適用できる。尚、台座２２４の底面にも緩衝部材を介装することがある。
【００５７】
尚、上記４本式天柱パイプを有する実施形態の構成は、３本式あるいは５本式等、パイプ本数の異なるガードフレームにも適用される。また、ガードフレームの形状はピラミッド形でもよい。
【００５８】
図３５および図３６に示す実施形態は、地震等の災害が発生した際に種々に有効利用されるように構成した移動車についてのもので、同移動車は、六面で形成したボックス２３０の底部に移動のためのロック付車輪（キャスタ式でもよい）２３１を備えて移動可能にしてあるとともに、ボックス２３０の前後および左右両側に手すり２３２…を備えて握りながらの移動走行を可能にしてある。ボックス２３０は、後部に防災用具入れ２３３を構成し、上蓋２３４を開けば何時でも防災用具を取り出すことができる。また、ボックス２３０の前大半の部分は、その内部に発電機やチェーンソー等の大型工具・装置を入れておくことができ、適宜に左右の扉２３５を開くことで使用に供し得るようになっている。同扉２３５はロックも可能になっている。
【００５９】
ボックス２３０の上蓋内には、仮想線のように、前方および／または後方に延出可能な補助板２３６を備えて担架を構成できるようになっている。また、手すり２３２の上を利用して別に担架２３７を構成できるようにしてもよい。また、ボックス２３０からは支柱２３８を立設して照明ランプ２３９を備えたり、必要に応じて側方被い２４０を前後伸縮可能に備えたりすることができる。
【００６０】
図３７に示す実施形態は、折り畳み式のポール２４２をそれぞれ１対ずつ備え移動用の車輪２４３も備えてなる前車台２４４と後車台２４５とを互いにヒンジ２４６で折り畳み式に継いだもので、担架その他の移送台車として使用することができる。後車台２４５のヒンジ２４６側の端部には、左右１対のロック片２４７が軸２４８周りに回転可能に設けられており、同ロック片２４７は、前車台２４４と後車台２４５とを面一になるように展開した際、後車台２４５側から前車台２４４側へ回転させることで両車台２４４，２４５が１枚の台車になるようにロックするものである。このロック片２４７には、Ｌ形のポールロック２４９も備えているので、前車台２４４のポール２４２の基部孔２５０に差し込むことで同ポール２４２を立設状態にロックすることができる。後車台２４５のポール２４２は、止着具２５１で起立・伏倒の選択が自在である。この台車は、折り畳み自在であるので、収納がコンパクトになる。
尚、ポール２４２は、台車を移送する際の握りになっている。同ポール２４２を利用して、仮想線のように、担架２５２を載置してもよい。また、さらに、その上方には被い２５３を備えてもよい。
【００６１】
図３８および図３９に示す実施形態は、地震等により火災が発生し類焼するおそれがある場合に、その類焼のおそれがある家屋（あるいはビル）２５５側においてその予防・防止を有効に図るようにしたものである。すなわち、家屋２５５には、窓２５６が構成されているが、同窓２５６のある個所の外側に巻き取りと繰り出しの自在な防火スクリーン２５７を備え付けておくことにより、類焼前にこれを降ろすことで類焼の予防および防止をすることができるのである。スクリーン２５７には、引き下げやすいように引きリング２５８が設けられるとともに、窓枠下方に設けられたマグネット２５９に吸着する他のマグネット２５９を備え付けてある。引っ掛け方式でもよい。また、図３９に仮想線のように横引き式にしてもよい。
【００６２】
図４０に示すようにビル２６１のように大きな建物については、その上方の壁に防火スクリーン２６２を備え付けておき、同スクリーン２６２から垂れさげた耐火ロープ２６３を下方の滑車２６４を介して非常窓口２６５の他の滑車２６６に掛け回すとともに、同窓口２６５内に残るロープ２６３を収納しておくようにしたものである。非常時には、室内からロープ２６３をとって引き出すようにすることで、スクリーン２６２が引き下げられて耐火幕を構成する。尚、スクリーン２６２の上側には、水受２６７が設置され、同水受２６７内には自動であるいは手動で水が流れ込むようになっている。その結果、耐火幕の外面には火災とともに水幕が形成されて類焼の危険を減少させることができる。尚、同水受２６７は蓋付の雨水受にしておけば雨水を利用することができるし、消火液や消火水がここに溜まって流れ落ちることにもなる。また、スクリーン２６２は、溜まる水の重量で自動的に下がるようにしてもよい。この場合、水道水等を溜める樋状のものをスクリーン２６２の外側に備えておき、この樋に上方から水を流すことでスクリーン２６２が下がるとともに、水を流し続けることでスクリーン２６２の外面を湿潤化させることもできるように構成してもよい。
【００６３】
図４１および図４２に示す実施形態は、地震発生時等においてバール２６９のてこ作用で扉２７０をこじ開けることができるような装置に関する。扉２７０側と壁２７１側のそれぞれ内外に、リング２７２…が設けられており、これらのうち適切なものにバール２６９を通してこじるようにすることで、扉２７０を開けることができる。尚、油圧ジャッキをかますことは自由である。また、バール２６９にさらにバールを重ね使用することも自由である。
【００６４】
図４３に示す実施形態は、非常用の枕についてのもので、同枕は、ゴム等の内層２７４とスポンジのような外層２７５とを備え、カバー２７６を備えてある。そして、同枕は図示しない個所が開閉自在になっており、この開口を通じて炭やヨモギ葉、還元剤などの健康増進物を入れた袋２７７の他、防災用具として、靴２７８やサンダル、さらには足袋２７９や靴下２８０等を入れるとともに、非常用の乾電池２８１や笛２８２、通帳２８３や現金等を同封する。
【００６５】
図４４に示す実施形態は、地震発生による負荷によっても安全空間を確保可能なベッドに関するものである。同ベッドは、下フレーム２８５と、上フレーム２８６からなり、上フレーム２８６は下フレーム２８５にヒンジあるいはバネ板などにより開閉自在に装着されている。各フレーム２８５，２８６には、凹み２８７が形成されており、その一方、凹みの横側方には突出部２８８が形成されている。突出部２８８は支柱等により強度が高く形成され、その表側にシリコンゴム等の緩衝部材２８９が張りつけられている。さらに、下フレーム２８５の底面と上フレーム２８６の天面には他の緩衝部材２９０が張りつけられている。仮想線のように、凹み２８７は丸形や屋根形にしてもよい。
【００６６】
図４５に示す実施形態は、床の間等に飾られるダルマ型の非常備品入れ３００についてのもので、この非常備品入れ３００は、底面３０１が完全に開口した底無し型になっている。底面３０１の一部のみが開口したものでもよい。また、底面は有っても開閉可能な蓋付きのものでもよい。ここに開閉可能とは底蓋を壊して開放のみするものを含む。
【００６７】
更に、非常備品入れ３００の高さ間中段あるいは上段さらに下段を境に分割型として割型にしてもよい。また、非常備品入れ３００は、縦割型にしてもよい。この縦割型とは、正面からみて左右を分割可能にする場合と、側面からみて左右を分割可能にする場合とがある。
【００６８】
そして、同非常備品入れ３００の内部空間には、破線で示すように、非常備品Ａが入れられる。非常備品Ａとしては、スリッパ、靴、安全靴、非常灯、携帯ラジオ、電池、予備メガネ、保存飲食料、非常用医薬品、非常持出用品（印鑑、通帳等）などがある。
【００６９】
尚、同非常備品入れ３００の内面（あるいは裏面などの外面）には、予波感知警報器３０２が装着されている。図示ダルマ形は、一般に市販されているものを基準にして前記のように底面を切り取ったり分割型にしたものでもよい。
【００７０】
前記非常備品入れ３００は、編細竹に紙を貼り付けた旧来型のものや陶器製などでもよい。また、金属鋳物やプレス成形品であれば、地震に耐えられるので、内部のものを確実に利用できる。
【００７１】
図４６に示す実施形態は、リュックサック型の非常備品入れ３０４についてのものである。同非常備品入れ３０４は、パンダを模したものになっているが、例えば、他の動物を模したものでもよい。
【００７２】
同非常備品入れ３０４は、本体部分３０５と肩掛け帯部３０６とを備えるとともに補助物入れ３０７を備える。この非常備品入れ３０４は、一般のリュックサック構造と全く変わらないものにする場合と、置物あるいは掛け物にする場合とがある。
【００７３】
前者の場合も後者の場合も内部に非常備品を収納しておくが、その取り出し方法に差異がある。前者の場合、例えば、上縁に沿ってファスナーを備えて取り出し可能にする。後者の場合、底面３０８を全面あるいは一部開放状にして取り出す方法にしたり、上段、中間段、あるいは下段を分割式にしておき非常時に外して非常備品を取り出す方法にすることができる。
【００７４】
また、前記のように縦分割式にしたり、前記補助物入れ３０７の部分を開閉式にしておくこともできる。この非常備品入れ３０４の場合も、布製は勿論、竹細工によるものや陶器製などでもよい。また、金属鋳物やプレス成形品であれば、地震に耐えられるので、内部のものを確実に利用できる。
【００７５】
図４７に示す実施形態は、バッグ型の非常備品入れ３１０についてのもので、同非常備品入れ３１０は、底面３１１が全面あるいは一部開放型である場合と、底面３１１が開閉式になっている場合とがある。そして、同非常備品入れ３１０の場合は、主に部屋のいずれかに置いておいたり吊り掛けておいたりするが、あくまでも非常備品入れとして部屋のいずれかに設置しても何ら違和を感じさせないように工夫されたものになっている。
【００７６】
従って、前記のように強度のある材料で作製されることもある。尚、バッグの形状は多少変更することがある。例えば、外国旅行に持ってゆく場合の大型ケースのこともある。
【００７７】
図４８に示す実施形態は、擬岩型の非常備品入れ３１３についてのものである。この非常備品入れ３１３は、載せ台３１４と擬岩部３１５とでなっており、これらはこの実施形態では一体成形品であるが別体にしてもよい。別体の場合、単に載せ付ける方式と接着などにより分離可能にする方式とがある。
【００７８】
この非常備品入れ３１３内に収納袋に入れられた非常備品３１６が入れられている。この非常備品（袋）３１６は、持ち手３１７が付けられて携帯することもできるし、その場合で開いて内部の非常備品を使用することもできるようになっている。尚、擬岩部３１５内にのみ非常備品３１６を収容するようにすることもできる。また、非常備品入れ３１３は、前記のような分割式にしたり、強度の高い材質にすることもできる。前記非常備品入れ３１３は複数個を組み合わせてより多くの非常備品を入れ得るようにすることもできる。
【００７９】
図４９に示す実施形態は、瓢箪型の非常備品入れ３２０についてのもので、この非常備品入れ３２０も底面３２１が全面あるいは一部開放型にされ、開閉型にしてもよいものである。また、上下分割式、左右分割式にしてもよい。さらに、同非常備品入れ３２０は自然物である場合と人工的なものである場合とがあり、人工のものの場合金属製にもすることができる。また、複数個の瓢箪を組み合わせてぶら下げ、これらの内部に非常備品入れの空間を形成することもできる。
【００８０】
図５０に示す実施形態は、古来からの小型炬燵を飾り物にした例で、同炬燵が強度に富むかませ台になっているとともに、その内部は非常備品が入れられる非常備品入れ３２３になっている。この非常備品入れ３２３は、金属製のこともある。
【００８１】
図５１に示す実施形態は、椅子３２５の座下空間３２６内に非常備品入れ３２７を収容可能にしたもので、座下空間３２６内には、収納袋に非常備品を入れて常備するようにしたり、あるいは、座下空間３２６内を仕切ってその仕切間に非常備品を入れるようにしてもよい。
【００８２】
尚、同図の椅子３２５は、筋交３２８を備えるとともに全体が地震に耐えられる構造になっている。こうした椅子３２５の他に食卓の椅子等、下部に空間をもつ椅子にもこの実施形態と同様の非常備品入れを構成できる。前記非常備品入れ３２７を非常に強度に富む構造体にしてもよい。
【００８３】
図５２に示す実施形態は、布袋さまのような置物３３０を座板３３１の上に設置したものについて、同置物３３０の底面３３２を開放状にしてその内部空間で非常備品入れを構成したものである。座板３３１内に空洞を形成してその中にも入れられるようにしたり、更に座板３３１を仮想線のように多く形成してより収容空間を大きくとってもよい。この場合、置物３３０および座板３３１のうち一方を非常備品入れにする。前記実施形態の他に他の形状の置物でもよい。また、置物を強度に富む金属体にしてもよい。前記座板３３１内を収容空間にする場合、同座板３３１はその底面あるいは上面に開口を有するものにする。
【００８４】
図５３に示す実施形態は、水瓶型の非常備品入れ３３５についての例であり、同非常備品入れ３３５は、土瓶や他の焼きものに代えて構成してもよい。この非常備品入れ３３５が底面が開放状になっているが、上部に蓋３３６があることから底面を閉止状にしてもよい。
【００８５】
図５４に示す実施形態は、竹編み式のペットボックスを非常備品入れ３３８にしたもので、同非常備品入れ３３８は、旅行やショッピングなどの外出時以外には部屋内に放置されているもので、そのことから、この内部空間を有効利用して非常備品入れにしたものである。非常備品入れ３３８は、破線のように一部空間で形成してもよいし、底部空間で形成してもよい。
【００８６】
図５５に示す実施形態は、裏ボックス３４０付きの額３４１についてのもので、その裏ボックス３４０内の空間を非常備品入れにしている。裏ボックス３４０の側板（その他の面でもよい）３４２は開閉可能にして非常時にここから非常備品を取り出せるようにする。
【００８７】
図５６に示す実施形態は、縦置式の大型灰皿の下部空間を非常備品入れ３４５にしたもので、その下部には大きな空間があり、その側扉３４６が開閉可能になっている。
【００８８】
図５７に示す実施形態は、上部を開放した截頭円錐形の非常備品入れ３４８を座３４９付きポール３５０で高い位置に設定し、同非常備品入れ３４８の外周面を利用してスカート３５１などの衣服を被せ掛けるようにしたものである。このように通常は衣服を掛けるのに使用できる一方、地震等の非常時には非常備品入れ３４８内の非常備品を使用することができるように兼用構造になっている。
【００８９】
図５８に示す実施形態は、消火器３５３をカバー３５４で覆うとともに同カバー３５４内に非常備品３５５…を同時に入れるようにしたものである。
【００９０】
図５９に示す実施形態は、人形ケース３５７自体を地震に充分耐えられる強度に富むものにし、その内部空間に非常備品３５８…を収容しておくようにしたものである。
【００９１】
図６０に示す実施形態は、家屋（ビル等を含む）の柱３６０に非常備品（バール、消火器、ジャッキ等の防災用具を含む）入れ３６１を付設したもので、この場合の柱３６０は、ドアや扉等が３面に設置される関係で３面が露出したタイプのものになっている。２面露出タイプでもよい。
【００９２】
同柱３６０は、プラスチックの筐体で、柱３６０の２面に止着具３６２…で取り付けられて膨出状になっているが、３面に対して膨出状にしてもよい。さらに、同非常備品入れ３６１は、柱３６０に脱着自在に装着してもよい一方、非常備品入れ３６１は強度メンバーとして柱３６０を増強するものにしてもよい。そして、必要により、収容備品の取り出し用開閉扉３６３を付す。３６４は壁である。また、非常備品入れ３６１がプラスチックや板金製である場合には、止着具３６２によらずに、柱３６０を抱き込むようにして脱着自在に構成してもよい。
【００９３】
図６１に示す実施形態は、柱３６０の対応する２面あるいは３面に壁３６４が配されている場合の非常備品入れ３６６の構成のしかたについての例で、非常備品入れ３６６は、断面コの字形で前記のようにプラスチックや板金製でなるもので、柱３６０の１面側に柱３６０の突出した側面を利用して止着具３６２により柱３６０に脱着自在に装着されている。尚、同非常備品入れ３６６は扉３６３により内部の非常備品を出し入れ自在になっている。非常備品入れ３６６は柱３６０に止着具によらず挟み込みにより脱着自在に構成してもよい。また、前記のように、非常備品入れ３６６が柱３６０の補強体になるように構成してもよい。
尚、図６０および６１において、非常備品入れ３６１，３６６は二重等の複数板構造であってもよい。
【００９４】
図６２に示す実施形態は、車両の車輪３６８を止める車止め３６９を非常備品入れ３７０として構成したもので、同非常備品入れ３７０は、座板３７１と、ヒンジ３７２を介して開閉自在にしたコの字形の本体３７３よりなる。
尚、非常備品入れは、家屋の中で比較的狭い面積で強度のある、例えば、トイレや風呂部屋内に装備することができる。トイレ内では、受水槽の側部や下側、扉裏面などである。これらの部屋においては、筋交いとしてケースを配し、この内部に非常備品を常備することがある。
【００９５】
図１５に示すパイプ組立式地震対策用のガードフレーム９０には、天柱パイプ９２が構成されている。この天柱パイプ９２は、曲がり部に補強パイプ（あるいは補強ロッド）９６を挿入して同時曲げ成形して増強してある。図６３に示す実施形態は、曲がり部に挿入する方式を採るか否かは問わず、天柱パイプ３７５の両端部に溶接により閉止プラグ３７６を嵌着して内部を完全中空形に保持し、同空間内に水あるいはオイル等の流体３７７を充填して曲げなどに対する対抗力を増加させるようにしたものである。
【００９６】
流体３７７は、粘度の更に高いものにしてもよいし、これらの流体３７７に固体や粉粒物を混合してもよい。また、流体３７７に代えて、充填する際は流体でその後固形化するもの、例えば、コールタール等を充填してもよい。また、ゴムチップや他の産業廃棄物や、ゴルフボール等でもよい。水などの充填には、最上端に形成した注入口３７８を通じて行い、プラグ３７９を螺合することで密閉する。プラグ３７９には、内圧が掛かりにくい構成にしたり、螺合後に溶接埋め込み式にしてもよい。更に、モルタルやコンクリートを流し込むこともある。また、一定時間後に固結する樹脂を流し込むこともある。それは発泡樹脂であることもある。
【００９７】
この充填方式は、天柱パイプ３７５だけに限らず、少なくとも、この発明の各実施形態において負荷に対抗する必要性のある全てに適用する。同実施形態に限らず、負荷に対抗する必要性のある部材、部品に広く適用する。
尚、前記実施形態の他に、一般住宅（木質骨格製、鉄骨骨格製等の如何を問わない）における地震対策として、扉や引き戸などの開閉戸自体を超耐久構造体にすることができる。この場合、前記天柱パイプ（内部充填式である場合と中空式である場合とがある）を全体として四辺に形成一体化し、その内部空間に筋交いを施したものにすることができる。
【００９８】
図６４に示す実施形態は、非常備品入れに係るもので図４５に示す実施形態を簡易型にしたものである。この非常備品入れ４００は、従来バケツとされてきたものあるいは非常備品入れとして截頭円錐形で中空状に形成されたものである。
【００９９】
非常備品入れ４００は、図４５の実施形態で説明した広い範囲の材質のいずれかを採用し、その中には、バケツそのものであるもの（樹脂や金属）も含まれる。この非常備品入れ４００の特徴とするところは、截頭円錐形であることから図示のように積層状態で保管・運搬等が嵩張らずに多量に可能である点にあり、その外面には、図６５に示すようなダルマの模様が描かれている。模様以外の地色は赤あるいは緑で、その他の色にすることもできるし、一部に夜光塗料を付すこともできる。
【０１００】
尚、同非常備品入れ４００は、頭部が塞がれているが開放状にすることもある。また、同非常備品入れ４００は、底面が開放されているが、底蓋を付すことがある。この場合、底蓋は常時閉止型にしたり開閉型にしたり、開閉するにも壊して開けるようにすることができる。
【０１０１】
さらに、同非常備品入れ４００は、上下を開放型にするか閉止型にするかは問わず、周胴部を開閉式にすることがある。この場合、非常備品入れ４００を２つ割れ式にヒンジで連結してもよい。また、図６４に仮想線で示すように、非常備品入れ４００の上側には適当なアクセサリー４０１を付すこともできる。例えば、縁起の良いものなどである。
【０１０２】
さらに、同非常備品入れ４００は、保形性をもち自立するものであればよく、例えば、厚紙や薄いプラスチックシートなどにより作製することもできる。その一方において、焼物でもよい。
上記の他に、非常備品入れとして、例えば、掛軸の裏面スペースを利用したり、掛軸をボックス式にしてその中に防災用品を入れるようにしてもよい。さらに、図６４あるいは６５に示すものは、布袋状にしてこれを吊り下げたり、畳上に設置したいすることも自由にできる。また、非常備品入れとしては、信楽の狸や干支（例えば、着座した牛、虎、羊、兎、猿等）の造形物（焼物に限らない）にすることがある。
【０１０３】
図６５に示す実施形態は、図６４に示す実施形態の非常備品入れ４００のアクセサリーとして、防災用品としてのヘルメット４０４を被せて１つの意匠にしたものである。４０５はあご紐である。ヘルメット４０４の前面には、「幸運建設」と付し、幸運を祈願してあるが、「地震に自信！」や「地震用心！」などを付してもよい。
【０１０４】
その一方で、ヘルメット４０４を付すか否かによらず、非常備品入れ４００自体の眼の部分（あるいはその他の部分でもよい）を予めあるいは地震発生後に開けて非常備品入れ４００自身もヘルメットとして活用できるようにしてもよい。眼の部分を透視可能にしておいてもよい。眼の部分でなくとも裏面に開口部を形成してもよい。これらの場合、勿論非常備品入れ４００は強度体にする。ゴム製でもよい。図６４、図６５の非常備品入れ４００は室内や室外等に吊り下げ式にすることもできる。複数を吊り下げることもできる。
【０１０５】
尚、図示しないが、非常備品入れ自体がヘルメット形であることもある。この場合、同ヘルメットは市販仕様のものである場合と、市販のものよりも大きなサイズにして多くの防災用品を収容でき防災機能も高まるようなものにする場合とがある。また、同ヘルメット型の非常備品入れは吊り下げ式にすることもできる。さらに、同ヘルメット型の非常備品入れを上下２つ合わせにして分離して内部の防災用品を取り出せるようにし、２つのヘルメットを活用できるようにしてもよい。
【０１０６】
図６６に示す実施形態は、歩道の側脇などに配列される組立式の手摺枠４０７についてのもので、同手摺枠４０７は、２本の端支柱４０８がコンクリート製の基台４０９に固定されるとともに、これら端支柱４０８間を下横桟４１０で連結し、同下横桟４１０上に複数本の間柱４１１…を立設し、更に、上部に上横桟である手摺４１２を組み立ててなるもので、特に、地震時等に応じて、手摺４１２自体を取り外しによりバールとして活用できるようにしたものである。
【０１０７】
バールである手摺４１２は、前後端が勾配状に形成されており、これら隣合う手摺４１２同士を勾配面が合わさるようにして蝶ボルトである止着具４１３で相互連結することで連設されている。この手摺４１２は、下側に突起４１４…を複数個備え、同突起４１４…を前記間柱４１１の上端内に差し込むようにしてある。そして、その一部は、止着具４１３により抜けないように止め付けてある。
手摺４１２の先端は、段差形でもよい。
【０１０８】
尚、バール４１５として、同図仮想線で示すように、手摺４１２のすぐ下側に沿って脱着自在に設けてもよい。また、手摺枠４０７の中段位置に同バール４１５を脱着自在に備えてもよい。さらに、斜め方向に示すように、同バール４１５を手摺枠４０７の補強材として配してもよい。
【０１０９】
図６７に示す実施形態は、運動場などに設置される鉄棒施設についてのもので、支柱４１７…の上端に通し筒４１８を備え、これら通し筒４１８を通じて通されるバー本体４１９をバールにしたもので、地震発生後に、止着具４２０を外すことで、このバール４１９を抜脱して活用するようにしたものである。バー本体４１９の先端は勾配形にし互いに合わさるようにしてある。
【０１１０】
尚、前記支柱４１７自体も図示のようにバールにしてもよい。また、同支柱４１７はスコップにしてもよい。この場合、１本の支柱４１７はスコップで他の１本はバールにすることもできる。その他、学校の教材や遊戯道具などの一部をバールやスコップ等の防災用具として構成することもできる。
【０１１１】
図６８に示す実施形態は、提灯４２２の内部空間を防災用品４２３の収納場所にしたものである。提灯４２２には受底４２４が設けられている。この場合、提灯４２２を降ろすことで自動的に縮み、内部の防災用品４２３を瞬時に取り出すことができる。
【０１１２】
図６９は、手提げ袋４２６を非常備品入れにした実施形態を示し、これを室内に放置式に設置したり図示のようにフック４２７等に吊り紐４２８で吊り掛けるようにする場合がある。
【０１１３】
この手提げ袋４２６は非常備品入れとして次のような実施形態にすることがある。すなわち、同手提げ袋４２６は、全体を透視可能な透明あるいは半透明のフィルムやシート、プレートで形成したり、一体成形によることもある。一部を透明あるいは半透明にしてもよい。また、夜間でもその設置場所が判るように、同手提げ袋４２６の一部（例えば、斜線部分）あるいは全体に夜光塗料４２９を施したり、「防災用品」の部分に夜光塗料を施してもよい。
【０１１４】
また、地震発生時に最優先で必要なものとして非常電灯４３０があるが、同非常電灯４３０は、手提げ袋４２６の外部前面に吊り下げておくと便利である。この場合も非常電灯４３０に夜光塗料４２９を施しておくとよい。こうした手提げ袋式のものは、地震発生時に揺れるものであり、この点からその設置場所がよく判るものである。
【０１１５】
尚、同手提げ袋４２６は、その自体を寝袋４３１を折り畳んだものにて作製しておき、非常時には、手提げ袋４２６をクイックファスナー等により展開して仮想線のように広げて活用できるようにしてある。寝袋の他に単なる毛布でもよい。尚、寝袋４３１には枕４３２を付属させてある。この枕４３２はエアー吹き込み式や土砂導入式でもよい。また、同枕４３２は、組み立てて台形等に形成できるものでもよい。前記手提げ袋４２６内あるいは外部には、地震発生時の一定以上の大きな揺れで初めて機能する非常電灯を備えてもよい。前記電灯４３０をそのような機能付きのものにしてもよいことは勿論である。前記手提げ袋４２６の吊り紐４２８は長く揺れ易くしておくこともある。同紐４２８は中央に１本式でもよい。
【０１１６】
尚、地震対策用のベッドについての実施形態であるが、同ベッドの本体の一側ヒンジを備え、同ヒンジを介してベッド上方にくるようにガードフレームを軸支して寝ている人を上から覆うようにするとともに、ガードフレームの揺動する先端をベッド本体の他側に対応させ、かつ、同他側とガードフレーム先端との間にゴルフボール等の超反発材を配置して構成してもよい。
【０１１７】
図７０は、ガードフレームについての実施形態を示し、５００は鉄パイプあるいはステンレスパイプ等により作製されたガードフレームの全体を示す。同ガードフレーム５００は、４本の天柱パイプ５０１を備え、同天柱パイプ５０１は、底部ａを内向きに曲げてその上部が垂直であるとともに垂直部ｂの上部が数度内に曲がり斜め部ｃになっている。斜め部ｃの上部は更に内向きに曲げられて水平部ｄになっている。この形状は、図６３に示すものと略同様である。
【０１１８】
この天柱パイプ５０１の各底部ａからは、図示では一体に底連結パイプ５０２が設けられているが、同パイプ５０２は、天柱パイプ５０１とは別体に形成してもよい。底連結パイプ５０２は、上からみてＸ字形にされ、その中央が底連結盤５０３で連結されている。底連結パイプ５０２は帯板部材として図１５に示すような連結方式を採ることがある。
【０１１９】
一方、天柱パイプ５０１の各上端には、丸板（あるいは四角板）状の下座板５０５が溶接等により強固に取り付けられている。この下座板５０５の上には、ゴム（あるいはシリコンゴム）などによる緩衝部材５０６を挟んで連結材５０７の４隅の上座板５０８が載せ付けられて止着具５０９により共締めされている。
【０１２０】
連結材５０７は、上からみて長円形状になっている。同連結材５０７の内部空間には補強部材５１０が横断状に架設されている。連結材５０７の長手方向は丸くなってベッド５１１の前後端を上方から覆うような関係に突出している。尚、連結材５０７と上座板との間ならびに天柱パイプ５０１と下座板５０８との間には、相互間の連結強度を確保するため、介装ピースを備えることがある。また、天柱パイプ５０１等の内部空間には、補強部材を挿入することがある。
【０１２１】
図７１は、前記のようなガードフレーム５００の周りを利用して被介護人５１３が歩行訓練などをすることができるようにリハビリ用フレーム５１２を装備した実施形態を示している。すなわち、ガードフレーム５００の中段外周には、上からみて矩形をした内側手すり５１４が設けられている。同手すり５１４は、各天柱パイプ５０１から突出したステー５１５を介して取り付けられ、その更に外周にはやや大きな矩形をした外側手すり５１６が設けられ、同手すり５１６は、天柱パイプ５０１の脚部から水平外側方に延ばしたＬ字形のステー５１７に固定されている。
【０１２２】
これら内外の手すり５１４，５１６の一部は、仮想線のように出入り可能な開閉式になっている。５１８は歩みシートであり、スリップしにくく緩衝も可能なゴムなどが使用される。ガードフレームは他のタイプでもよい。
【０１２３】
被介護人５１３は、図示のように内外の手すり５１４，５１６を手で握りながら歩行訓練をすることができる。歩行訓練に疲れるとそのすぐ傍にベッド５１１があるので、そこに腰をかけて休むこともできる。また、手すり５１４，５１６は、ガードフレーム５００の補強になり、特に、ガードフレーム５００の下周りにおいて大きく抵抗する構造体として機能する。
【０１２４】
尚、手すり５１４，５１６などを利用して被介護人５１３の転倒等を防止する吊り紐５１９を引っ掛け装備してもよい。この吊り紐５１９は、各辺毎に個別に装備してもよい。また、こうした手すり付ガードフレームを庭や公園などに設置することもできる。この場合、外側手すり５１６に側面覆い５２０を設けておけば、より気安く休憩することができる。
【０１２５】
天柱パイプ５０１とステー５１７とは一体形成してもよい。尚、仮想線のように、天柱パイプ５０１から上向きに補助パイプ５２１を延ばせるようにしておいて、その上端間に覆いシート５２２を覆いとして備えるようにしてもよい。また、手すり５１４，５１６やカードフレーム５００を利用して、吊り輪やゴム紐などをぶら下げておいて他の運動をすることができるようにしてもよい。被介護人５１３は万歩計を携帯することは自由である。
【０１２６】
図７２は、既設あるいは新規のベッド５１１をそのまま利用してその周りにリハビリ用フレーム５２４を設けてある。同フレーム５２４は、図７１に示すような内外の手すり５２５と、同手すり５２５を支持するステー５２６と、ステー５２６の座板５２７とでなる。座板５２７は、ベッド５１１と床間に挟み込まれ、ベッド５１１の重さを利用して安定に保持されている。
【０１２７】
尚、同リハビリ用フレーム５２４を基盤にして、同フレーム５２４に図７１のようなガードフレームを追加装備すれば地震対策も可能になる。この場合、リハビリ用フレーム５２４の手すり５２５等を利用してパイプを装備しておき、このパイプを上向きに展開（垂直に伸縮するものも含む）して連結することでガードフレームを作製可能にしてもよい。また、このような展開によりテントのような覆いシートを張設するようにしてもよい。
【０１２８】
図７３は、公園や校庭などに設備される遊戯の近傍にリハビリ用フレーム５２９を併設するものとして、滑り台５３０を一例にしたものを示し、リハビリ用フレーム５２９は、滑り台５３０の側脇に添った平行な手すり５３１の１対で構成されている。これら左右１対の手すり５３１，５３１間は図示しない手すりで１周の手すりになるようにしてもよい。また、上からみてコの字状になるようにしてもよい。この実施形態においても、テントなどの覆いシートを張設可能にしてもよい。
【０１２９】
図７４は、ジャングルジム５３３を例にしたもので、同ジム５３３の周りにリハビリ用フレームである手すり５３４を配してある。この場合も、サイドの覆い５３５を備えたり、ステー５３６を延ばして覆いシート５３７を張設可能にしてもよい。
【０１３０】
尚、図７１から７４までの実施形態においては歩み面が構成されることがあるが、その場合、歩み面は一部が上がり下がりのある坂を含むことがある。この坂は脱着自在にしてもよい。また、同歩み面には凹凸を付すこともある。この凹凸部分も脱着自在にしてもよい。図７３および図７４以外の遊戯器具近傍においてリハビリ用フレームを構成してもよい。また、ジャングルジムについては、そのもの自体の内部あるいは内部と外部にリハビリ用通路を構成してもよい。
【０１３１】
図７５から図７９に示す実施形態は、クリスマス贈答用とされるサンタ靴を非常備品入れ等として構成したものである。図７５は、サンタ靴５４０の内部に前記のような非常備品（図示省略）を収納しておき、災害発生時に包み５４１を開けて（包みなしのこともある）中の非常備品を使用可能にしてある。尚、包み５４１あるいはサンタ靴５４０自体に吊り紐５４２を付しておき、吊り掛けておくこともできる。また、同サンタ靴５４０はその１対をもってワンセットにすることもできる。さらに、同サンタ靴５４０は、その大きさを通常想定される以上の大きなもの（例えば、高さ１ｍなど）にすることもできる。
【０１３２】
図７６は、サンタ靴５４５の底面５４６を不安定な傾斜面などにして地震発生により横または前後いすれかに倒れるようにし、その際、サンタ靴５４５に付された鈴５４７がなることで地震で眼が醒めるようにしたものである。尚、鈴以外の警報具を備えてもよい。また、サンタ靴５４５は底面の針で差し込むようにしてもよいし、サンタ靴５４５の底部に重りを付けておいてダルマのように揺れても起きるように構成してもよい。
【０１３３】
図７７は、非常備品を入れておくことのできるサンタ靴５４９をブックエンドとして構成した実施形態を示す。５５０…は適宜な書籍を示す。尚、仮想線で示ように、両サンタ靴５４９間は、双方から延びるスライダ５５１で伸縮自在に接続されるようにしてもよい。また、サンタ靴５４９には、他の用品を入れてもよい。さらに、サンタ靴５４９自体を重くして安定化させることもある。
【０１３４】
図７５から図７７までにおいて、サンタ靴は、底があるもの無いもののいずれでもよい。
【０１３５】
図７８は、底の有無いずれでもよいが、大きくしたサンタ靴５５３内に別に１組の長靴５５４を入れておくことができ、同長靴５５４内に非常備品を収納しておくようにした実施形態を示す。図７９に示すように、１つのサンタ靴５５６に片方の長靴５５７を入れるようにしてそれらの１対をセットにして設置可能に構成することもできる。これらサンタ靴５５６は継ぎを備えることもある。図７８および図７９の実施形態の場合、非常備品を使用可能ある以外に、長靴が非常用に使える利点がある。しかし、同長靴の底の有無は問わない。
【０１３６】
尚、図７９のような１対のサンタ靴を合体して正面から観れば１対のように観えるが内部は１つの収納筒空間になっているようにも構成できる。この収納筒空間は１つに統一してもよい。
【０１３７】
図８０は、防災用品展開催会場や会場以外の一般路などで人に注意を喚起するものとして立設される幟についての実施形態を示す。同幟は、縦竿５５９の上端と下部付近に横桟５６０を備え、これらの横桟５６０は縦竿５５９に対して回転自在に支持させてある。５６１は下部ストッパである。尚、縦竿５５９の上端には、マグネット５６２を備えてカラス避けにしてもよい。
【０１３８】
幟シート５６３には、「地震用心」、「火事（火元）用心」、「戸締り用心」などの注意を喚起する用語を付し、地色を黄色などにして目に付くものにするとともに、図示のように地割れ模様５６４や雷模様５６５などを付すものとする。
【０１３９】
特に、地割れ模様５６４の部分は、シート地自体を該模様に沿って切り込み５６６を入れて地割れの恐怖を訴えるようにすることもできる。この地割れ模様５６４の切り込みの部分は透明なフィルムで継いで仕上げることもできる。また、同地割れ模様５６４を含めて幟シート全体を、布地とフィルムシートの重ね構造にすることもできる。尚、横桟５６０は曲げたものにして幟シート５６３に風が当たって回転しやすいようにしてもよい。幟シートは板物にしてもよい。例えば、横断面がＬ字形をした金属板で風が当たるとその力で回転可能なもの。幟シート５６３には、蛍光あるいは夜光塗料を付すことがある。また、幟シートは、四角な布あるいはフィルムシートになっているが、輪郭自体が地震の地割れ形や雷形であることもある。さらに、満月の時に地震が多くこのことを警告する意味で、幟の上端には、満月のマークを付してもよい。
【０１４０】
５６８は廃棄タイヤで、その中には鉄筋５６９と蓋５７０とを介してコンクリート５７１が充填されるとともに、中央には挿通パイプ５７２が固定されている。このパイプ５７２に前記縦竿５５９の基部を差し込むとともに止着具５７３で止め付けてある。縦竿５５９が挿通パイプ５７２に回転自在にしてもよい。
【０１４１】
図８１は、横置きした廃棄タイヤ５７４に前記タイヤ５６８を縦向きに嵌め合わせてＬ形にした竿５７５を介して幟シート５７６を立設したものである。竿５７５は左右に１対配してもよい。
【０１４２】
図８２は、前記のようにコンクリートを充填して造った廃タイヤ利用品５７７を使って、緊急時には幟を抜いてこれら利用品５７７をシャフト５７８の両端に装着して、シャフト５７８上に緊急時あるいは通常運搬目的時の引き手付荷台５７９を載置して運搬車を構成したものである。廃タイヤ利用品５７７は３輪あるいは４輪でもよいし、荷台５７９は簡易な担架として構成してもよい。１輪車式にしてもよい。１輪車式の場合、挿通パイプ５７２にシャフトを通し、このシャフトの左右に突出する両端にコの字枠を備えて同枠に２本の引き手を付けて構成することができる。
【０１４３】
【発明の効果】
この発明は以上のように構成されているので、災害に即座に対処できるようにした防災用品を提供することができる。
【図面の簡単な説明】
【図１】この発明の一実施形態であるハンガーの斜視図。
【図２】消火器設置標示についての実施形態を示す平面図。
【図３】同実施形態の正面図。
【図４】消火器についての実施形態を示す正面図。
【図５】消火器についての他の実施形態を示す正面図。
【図６】消火器についての他の実施形態を示す正面図。
【図７】家具に防災用具容器を備え付ける実施形態を示す正面図。
【図８】他の家具に防災用具を収納するようにした実施形態を示す正面図。
【図９】他の家具に防災用具容器を備え付けるようにした実施形態を示す正面図。
【図１０】倒壊に有利にした防災用具容器の実施形態を示すタンス正面図。
【図１１】防災ベッドの実施形態を示す斜視図。
【図１２】畳の底部に防災用具容器を構成した実施形態を示す斜視図。
【図１３】他の防災方式を示す斜視図。
【図１４】家屋倒壊防止方式の一例を示す正面図。
【図１５】ベッド用のガードフレームについての他の実施形態を示す斜視図。
【図１６】同ガードフレームの結合部分の要部を示す断面図。
【図１７】他の結合手段を示す断面図。
【図１８】他の結合手段を示す断面図。
【図１９】図１５のガードフレームに外装をした場合の斜視図。
【図２０】天柱パイプの接続方式を示す平面図。
【図２１】天柱パイプの他の接続方式を示す横断面図。
【図２２】天柱パイプの他の接続方式を示す平面図。
【図２３】天柱パイプの他の接続方式を示す平面図。
【図２４】ガードフレームの他の実施形態を示す斜視図。
【図２５】同フレームの天部の接続構造を示す断面図。
【図２６】他のガードフレームを示す平面図。
【図２７】他のガードフレームを示す斜視図。
【図２８】他のガードフレームを示す斜視図。
【図２９】図２８の脚座部の具体的構造を示す断面図。
【図３０】ガードフレームの他の実施形態を示す斜視図。
【図３１】図３０のガードフレームの要部拡大断面図。
【図３２】他のガードフレームを示す斜視図。
【図３３】同天部の接続構造の断面図。
【図３４】ボールジョイント方式の脚座構造を示す断面図。
【図３５】防災用等に使用される移動車の実施形態を示す平面図。
【図３６】図３５の側面図。
【図３７】他の移動台車についての実施形態を示す斜視図。
【図３８】防火スクリーン方式を示す縦断面図。
【図３９】同スクリーン方式の正面図。
【図４０】大規模なスクリーン方式を示す側面図。
【図４１】地震災害時等における扉こじ開け方式を示す横断面図。
【図４２】図４１の正面図。
【図４３】非常用枕の一例を示す断面図。
【図４４】災害対策用ベッドを示す縦断面図。
【図４５】置きダルマを非常備品入れとした実施形態を示す正面図。
【図４６】パンダ形リュックサック式置き物を非常備品入れとした実施形態を示す正面図。
【図４７】バッグ形非常備品入れの実施形態を示す正面図。
【図４８】擬岩を非常備品入れとした実施形態を示す正面図。
【図４９】瓢箪形非常備品入れを示す正面図。
【図５０】他の非常備品入れとして古式炬燵の実施形態を示す斜視図。
【図５１】椅子の下部空間を非常備品の収納空間とした実施形態を示す斜視図。
【図５２】置物を非常備品入れとした実施形態を示す斜視正面図。
【図５３】水瓶を非常備品入れにした実施形態を示す斜視正面図。
【図５４】ペットボックスを非常備品入れとした実施形態を示す斜視図。
【図５５】裏ボックス付き額を非常備品入れとした実施形態を示す斜視図。
【図５６】灰皿を非常備品入れとした実施形態を示す斜視正面図。
【図５７】衣服掛けと非常備品入れとを兼用した実施形態を示す正面図。
【図５８】消火器カバー内に同時に非常備品を収容するようにした実施形態を示す模式図。
【図５９】人形ケースを非常備品入れとした実施形態を示す正面図。
【図６０】柱の周りに非常備品入れを構成した実施形態を示す横断面図。
【図６１】柱の周りに非常備品入れを構成した実施形態を示す横断面図。
【図６２】車止めを非常備品入れとした実施形態を示す断面図。
【図６３】中空材内に流体などを充填して増強を図った実施形態を示す一部切欠正面図。
【図６４】非常備品入れの他の実施形態を示す模式断面図。
【図６５】非常備品入れの他の態様を示す正面図。
【図６６】手摺枠の一部をバールとした実施形態を示す正面図。
【図６７】鉄棒の一部をバールとした実施形態を示す正面図。
【図６８】提灯を非常備品入れとした実施形態を示す正面図。
【図６９】手提げ袋を非常備品入れとした実施形態を示す正面図。
【図７０】ガードフレームの他の実施形態を示す斜視図。
【図７１】同ガードフレームを利用してリハビリ用フレームを構成した実施形態を示す斜視図。
【図７２】一般ベッドを利用してリハビリ用フレームを構成した実施形態を示す正面図。
【図７３】滑り台付近のスペースを利用してリハビリ用フレームを構成した実施形態を示す斜視図。
【図７４】ジャングルジム周囲を利用してリハビリ用フレームを構成した実施形態を示す斜視図。
【図７５】サンタ靴を非常備品入れとした実施形態を示す側面図。
【図７６】地震の揺れにより地震を知らせる実施形態を示す正面図。
【図７７】サンタ靴をブックエンドとして構成した実施形態を示す正面図。
【図７８】サンタ靴の中に長靴を入れて非常備品入れとした実施形態を示す斜視図。
【図７９】サンタ靴の中に長靴を入れて非常備品入れとした他の実施形態を示す斜視図。
【図８０】注意喚起用の帳の実施形態を示す一部切欠正面図。
【図８１】他の実施形態を示す正面図。
【図８２】廃タイヤ利用品を利用して運搬車を構成した実施形態を示す縦断面図。
【符号の説明】
４，１８…ポール  ９…掛けバー  １９…消火器設置標示部  ２０…消火器設置標示  ２７…防災用具容器。
【図１】
0003903227.tif 000002
【図２】
0003903227.tif 000003
【図３】
0003903227.tif 000004
【図４】
0003903227.tif 000005
【図５】
0003903227.tif 000006
【図６】
0003903227.tif 000007
【図７】
0003903227.tif 000008
【図８】
0003903227.tif 000009
【図９】
0003903227.tif 000010
【図１０】
0003903227.tif 000011
【図１１】
0003903227.tif 000012
【図１２】
0003903227.tif 000013
【図１３】
0003903227.tif 000014
【図１４】
0003903227.tif 000015
【図１５】
0003903227.tif 000016
【図１６】
0003903227.tif 000017
【図１７】
0003903227.tif 000018
【図１８】
0003903227.tif 000019
【図１９】
0003903227.tif 000020
【図２０】
0003903227.tif 000021
【図２１】
0003903227.tif 000022
【図２２】
0003903227.tif 000023
【図２３】
0003903227.tif 000024
【図２４】
0003903227.tif 000025
【図２５】
0003903227.tif 000026
【図２６】
0003903227.tif 000027
【図２７】
0003903227.tif 000028
【図２８】
0003903227.tif 000029
【図２９】
0003903227.tif 000030
【図３０】
0003903227.tif 000031
【図３１】
0003903227.tif 000032
【図３２】
0003903227.tif 000033
【図３３】
0003903227.tif 000034
【図３４】
0003903227.tif 000035
【図３５】
0003903227.tif 000036
【図３６】
0003903227.tif 000037
【図３７】
0003903227.tif 000038
【図３８】
0003903227.tif 000039
【図３９】
0003903227.tif 000040
【図４０】
0003903227.tif 000041
【図４１】
0003903227.tif 000042
【図４２】
0003903227.tif 000043
【図４３】
0003903227.tif 000044
【図４４】
0003903227.tif 000045
【図４５】
0003903227.tif 000046
【図４６】
0003903227.tif 000047
【図４７】
0003903227.tif 000048
【図４８】
0003903227.tif 000049
【図４９】
0003903227.tif 000050
【図５０】
0003903227.tif 000051
【図５１】
0003903227.tif 000052
【図５２】
0003903227.tif 000053
【図５３】
0003903227.tif 000054
【図５４】
0003903227.tif 000055
【図５５】
0003903227.tif 000056
【図５６】
0003903227.tif 000057
【図５７】
0003903227.tif 000058
【図５８】
0003903227.tif 000059
【図５９】
0003903227.tif 000060
【図６０】
0003903227.tif 000061
【図６１】
0003903227.tif 000062
【図６２】
0003903227.tif 000063
【図６３】
0003903227.tif 000064
【図６４】
0003903227.tif 000065
【図６５】
0003903227.tif 000066
【図６６】
0003903227.tif 000067
【図６７】
0003903227.tif 000068
【図６８】
0003903227.tif 000069
【図６９】
0003903227.tif 000070
【図７０】
0003903227.tif 000071
【図７１】
0003903227.tif 000072
【図７２】
0003903227.tif 000073
【図７３】
0003903227.tif 000074
【図７４】
0003903227.tif 000075
【図７５】
0003903227.tif 000076
【図７６】
0003903227.tif 000077
【図７７】
0003903227.tif 000078
【図７８】
0003903227.tif 000079
【図７９】
0003903227.tif 000080
【図８０】
0003903227.tif 000081
【図８１】
0003903227.tif 000082
【図８２】
0003903227.tif 000083